(57)【要約】【課題】従来の剣道用防具に使用されている布団を構成する各部材の縫合の仕方を変更することによって布団の緩衝性能を向上させた剣道用防具を提供する。【解決手段】複数積層された各部材を縫合してなる布団を備えた剣道用防具において、布団を構成する各部材を複数の縫合線に沿って施された縫合糸による刺し子縫いによって縫合し、複数の縫合線を間隔が疎にして並ぶ疎部と間隔が密にして並ぶ密部とが交互に繰り返すように並べる。【選択図】  図１
2015131022.tif 000002
【特許請求の範囲】
【請求項１】
芯部材と該芯部材を被覆する被覆部材とを縫合してなる布団を備えた剣道用防具であって、布団を構成する各部材が複数の縫合線に沿って施された刺し子縫いによって縫合されており、複数の縫合線が間隔を疎にして並ぶ疎部と間隔を密にして並ぶ密部とを交互に繰り返して並んでいることを特徴とする剣道用防具。
【請求項２】
布団を構成する各部材が複数の縫合線に沿って施された刺し子縫いの締め付けによって該複数の縫合線毎に薄く圧縮されており、布団を構成する各部材の密部に該当する部分が該密部を構成する複数の縫合線毎に異なる厚みに圧縮されている請求項１記載の剣道用防具。
【請求項３】
布団を構成する各部材の密部に該当する部分が該密部を構成する複数の縫合線の並び順に従って徐々に薄くなるように圧縮されている請求項２記載の剣道用防具。
【請求項４】
密部を構成する複数の縫合線が1.0mm〜5.0mmの間隔を空けて並んでいる請求項１乃至３のいずれかに記載の剣道用防具。
【発明の詳細な説明】
【技術分野】
【０００１】
本発明は、剣道用防具に関するものである。
【背景技術】
【０００２】
周知のとおり、面、胴、小手及び垂れからなる剣道用防具は、競技者を竹刀による打突から保護するためのものであるが、競技者の動作を阻害しないように胴及び面の一部のみが金属や竹などの硬質素材によって形成され、その他の部分は綿生地や皮革などの軟質素材によって形成されており、軟質素材によって形成された部分は、硬質素材によって形成された部分よりも打突の衝撃が通り易くなっている。
【０００３】
このため、剣道用防具の軟質素材によって形成された部分の中でも特に竹刀の打突が集中する部分には、「布団」と呼ばれる緩衝部材が取り付けられている。なお、布団は、一般的に複数積層された各部材を複数の縫合線に沿って施された刺し子縫いによって縫合した構造になっており、竹刀の打突による衝撃が競技者に伝わることを緩和させる役割を果たしている。
【０００４】
ところが、従来の剣道用防具に使用されている布団では、竹刀の打突による衝撃を十分に緩和させることができず、競技者が強烈な痛みを感じることから、その痛みに耐えることができない子供たちが剣道から離れてしまうことが多く、剣道の普及を阻害する一つの要因となっている。
【０００５】
このため、竹刀の打突による衝撃の緩衝性能を向上させた布団を備えた剣道用防具が多数開発されており、例えば、後出特許文献１には、フェルトが布と布との間に挟みこまれた積層体の全面領域のうち、特定の領域内のフェルト間にポリウレタン樹脂又はシリコーンゲルからなる高衝撃吸収材が内蔵され、当該積層体の全面領域に刺し子縫いが施された布団を備える剣道用防具において、前記特定の領域が、前記全面領域のうち、打撃の頻度が高い領域であり、前記特定の領域におけるフェルトは他の領域に比べて厚みは薄くされ、高衝撃吸収材を挿入することによって他の領域と同じ厚みを保った剣道用防具が開示されている。
【０００６】
また、後出特許文献２には、布団素材が所定のピッチで直線縫いされた布団部分を有する防具において、該ピッチは、狭いピッチＳと広いピッチＬとが所定周期で繰り返されている防具が開示されている。
【先行技術文献】
【特許文献】
【０００７】
【特許文献１】特開２０１２−２００５６号公報
【特許文献２】特開２００７−５４４８７号公報
【発明の概要】
【発明が解決しようとする課題】
【０００８】
しかし、前記特許文献１に開示された剣道用面のように、布団の芯部材として合成樹脂板（ポリウレタン樹脂又はシリコーンゲルからなる高衝撃吸収材）を使用すると、合成樹脂板が吸水性及び通気性を有さず、剣道用面を装着した競技者から発生する湿気や熱気が剣道用面の外部に発散されずに内包されてしまうという問題点があった。
【０００９】
一方、前記特許文献２に開示された防具は、従来の剣道用防具に使用されている布団を構成する各部材の縫合の仕方を変更することによって緩衝性能を向上させたものであるため、前記特許文献１に開示された剣道用面が持つ問題点を有さず、また、従来の剣道用防具に使用されている布団を構成する各部材をそのまま使用できるため、従来の剣道用防具と同等の原料コストで製造でき、また、製造コストや製造効率の低下も生じ難い。
【００１０】
そこで、本発明者も、前記特許文献２に開示された防具のように従来の剣道用防具に使用されている布団を構成する各部材の縫合の仕方を変更することによって布団の緩衝性能を向上させることを技術的課題として、その具現化をはかるべく、試行錯誤的に試作・実験を重ねた結果、複数積層された各部材を縫合してなる布団を備えた剣道用防具において、布団を構成する各部材を複数の縫合線に沿って施された刺し子縫いによって縫合し、複数の縫合線を間隔が疎にして並ぶ疎部と間隔が密にして並ぶ密部とを交互に繰り返すように並べれば、従来の布団を構成する各部材の縫合の仕方を変更するだけで緩衝性能を向上させることができるという刮目すべき知見を得、前記技術的課題を達成したものである。
【課題を解決するための手段】
【００１１】
前記技術的課題は、次の通りの本発明によって解決できる。
【００１２】
すなわち、請求項１に係る剣道用防具は、芯部材と該芯部材を被覆する被覆部材とを縫合してなる布団を備えた剣道用防具であって、布団を構成する各部材が複数の縫合線に沿って施された刺し子縫いによって縫合されており、複数の縫合線が間隔を疎にして並ぶ疎部と間隔を密にして並ぶ密部とを交互に繰り返して並んでいるものである。
【００１３】
また、請求項２に係る剣道用防具は、前記請求項１の剣道用防具において、布団を構成する各部材が複数の縫合線に沿って施された刺し子縫いの締め付けによって該複数の縫合線毎に薄く圧縮されており、布団を構成する各部材の密部に該当する部分が該密部を構成する複数の縫合線毎に異なる厚みに圧縮されているものである。
【００１４】
また、請求項３に係る剣道用防具は、前記請求項２の剣道用防具において、布団を構成する各部材の密部に該当する部分が該密部を構成する複数の縫合線の並び順に従って徐々に薄くなるように圧縮されているものである。
【００１５】
また、請求項４に係る剣道用防具は、前記請求項１乃至３のいずれかの剣道用防具において、密部を構成する複数の縫合線が1.0mm〜5.0mmの間隔を空けて並んでいるものである。
【発明の効果】
【００１６】
本発明によれば、複数積層された各部材を縫合してなる布団を備えた剣道用防具において、布団を構成する各部材を複数の縫合線に沿って施された刺し子縫いによって縫合し、複数の縫合線を間隔が疎にして並ぶ疎部と間隔が密にして並ぶ密部とを交互に繰り返すように並べたので、布団を構成する各部材の密部に該当する部分が該密部を構成する複数の縫合線の並び順に従って徐々に薄くなるように圧縮され、これにより、布団を構成する各部材の疎部に該当する部分を締め付ける力が増し、疎部を構成する複数の縫合線の間隔をある程度広くしたとしても該疎部に形成される山部の弾力が高く維持されて緩衝性能が向上する。
【００１７】
従って、本発明の産業上利用性は非常に高いといえる。
【図面の簡単な説明】
【００１８】
【図１】実施の形態１に係る剣道用小手を示した斜視図である。
【図２】図１に係る剣道用小手の小手布団を展開した状態を示した平面図である。
【図３】図２に示す小手布団のＡ−Ａ断面図である。
【図４】図３に示す小手布団の一点鎖線で囲った円形部分を示した拡大図である。
【図５】図２に示す小手布団の製造過程を示した断面図である。
【図６】本発明に係る剣道用面を示した斜視図である。
【図７】本発明に係る剣道用垂れを示した平面図である。
【発明を実施するための形態】
【００１９】
以下、本発明の実施の形態を説明する。
【００２０】
実施の形態．
【００２１】
本実施の形態は、剣道用防具における剣道用小手に関するものである。本実施の形態に係る剣道用小手１は、図１に示すように、主に競技者の手の指を保護する小手頭２と、主に競技者の手の甲を保護するけら３（生子）及び筒４と、主に競技者の前腕を保護する小手布団５と、主に競技者の手の平を保護する手の内（図示せず）とから構成されており、各部位（小手頭２、けら３、筒４、小手布団５、手の内）を連結してグローブ状に形成されている。なお、小手布団５には、小手布団５を前腕に縛り付けるための小手紐（図示せず）が取り付けられている。
【００２２】
競技者の手を保護する部位である小手頭２、けら３、筒４及び手の内の四つの部位の内で、竹刀の打突から競技者の手を保護する小手頭２、けら３及び筒４は、いずれも芯部材の表・裏面をそれぞれ被覆部材によって被覆した状態で該各部材の周縁を縫合することにより、両被覆部材の間に芯部材を内包した構造になっている。
【００２３】
小手頭２は、ミトン状に形成されている。そして、小手頭２には、親指を保護する部分、親指以外の四指の指先を保護する部分及び親指以外の四指の付け根を保護する部分にそれぞれ略Ｔ字状に伸びる縫合線（図１中、点線にて示す）に沿って刺し子縫いが施されており、これにより、両被覆部材の間に内包された芯部材に偏りが生じることを防止している。なお、小手頭２の芯部材としては、緩衝性に優れた綿、鹿毛や羊毛等の獣毛からなるフェルトや毛氈などを使用すればよい。また、小手頭２の外面（競技者の手に接触しない面）側に位置付けられる被覆部材としては、耐摩耗性に優れた人工皮革や鹿皮等の獣皮からなる皮革などを使用すればよく、小手頭の内面（競技者の手に接触する面）側に位置付けられる被覆部材としては、肌触りが良く通気性に優れた綿生地などを使用すればよい。
【００２４】
けら３及び筒４は、いずれも略筒状に形成されている。そして、筒４には、指先方向に伸びる６本の縫合線に沿って刺し子縫いが施されており、これにより、両被覆部材の間に内包された芯部材に偏りが生じることを防止している。なお、けら３及び筒４の芯部材としては、緩衝性に優れた綿、鹿毛や羊毛等の獣毛からなるフェルトや毛氈などを使用すればよい。また、けら３及び筒４の外面（競技者の手に接触しない面）側に位置付けられる被覆部材としては、耐摩耗性に優れた紺反等の綿生地などを使用すればよく、けら３及び筒４の内面（競技者の手に接触する面）側に位置付けられる被覆部材としては、肌触りが良く通気性に優れた綿生地などを使用すればよい。
【００２５】
手の内は、小手頭２の内面、けら３の内面及び筒４の内面指先側の一部を被覆できる形状に形成されている。なお、手の内としては、人工皮革や鹿皮等の獣皮からなる皮革などを使用すればよい。
【００２６】
そして、競技者の手を保護する四つの部位（小手頭２、けら３、筒４、手の内）は、小手頭２の手首側に位置する縁部とけら３の指先側に位置する縁部とを互いに縫合し、けら３の手首側に位置する縁部と筒４の指先側に位置する縁部とを互いに縫合し、さらに、小手頭２、けら３及び筒４の三つの部位の内面を被覆するように位置付けられた手の内を該三つの部位２，３，４の周縁に縫合することによって連結されている。なお、当該三つの部位２，３，４の周縁と手の内の周縁とは、縫合糸を隠すようにホツレ止め６にて被覆されている。
【００２７】
競技者の前腕を保護する部位である小手布団５は、筒状に形成されている。なお、小手布団５を展開すると、図２に示すように、略矩形状に形成されており、指先側と反対側に位置する縁の右側が左側よりも突出した形状になっており、左側及び右側に位置する縁に沿って小手紐を通すための通孔７が複数形成されている。
【００２８】
小手布団５は、図３に示すように、芯部材８と、芯部材８の外面（競技者の前腕に接触しない面）を被覆する被覆部材９と、芯部材８の内面（競技者の前腕に接触する面）を被覆する被覆部材１０と、各部材８，９，１０を縫合する縫合糸１１から構成されている。そして、小手布団５は、両被覆部材９，１０によって芯部材８の外・内面を被覆して複数積層された状態の各部材８，９，１０を縫合糸１１による刺し子縫いによって縫合してなる積層体１２を筒状に成形することによって形成されている。
【００２９】
積層体１２には、図２において点線にて示すように、積層体１２の周縁に沿って伸びる縫合線１３、積層体１２の指先側と反対側に位置する縁部１４において左右方向に伸びる複数の縫合線１５、積層体１２の周縁及び縁部１４を除く全面に位置する打突受け部１６において左右方向に伸びる複数の縫合線１７に沿って縫合糸１１による刺し子縫いが施されている。なお、縁部１４に伸びる複数の縫合線１５は、平行に配置された状態で等間隔に並べられている。また、打突受け部１６に伸びる複数の縫合線１７は、いずれも平行に配置されており、二本の縫合線１７が間隔を疎にして並べられた疎部１８と、二本の縫合線１７が間隔を密にして並べられた密部１９とが交互に繰り返すように並べられている。なお、各疎部１８は、いずれも二本の縫合線１７の間隔が同一になっており、各密部１９は、いずれも二本の縫合線１７の間隔が同一になっている。なお、図２に示された積層体１２の部分拡大図からも分かるように、複数の縫合線１７が間隔を疎にして並べられた疎部１８と複数の縫合線１７が間隔を密にして並べられた密部１９とは、両部１８，１９を交互に繰り返すと共に、両部１８，１９を隣接させて並んでおり、隣接する両部１８，１９は、両部１８，１９の境界に位置する縫合線１７を互いに共有している。
【００３０】
また、積層体１２は、図３に示すように、複数の縫合線１３，１５，１７に沿って施された縫合糸１１による刺し子縫いの締め付けによって縫合線１３，１５，１７毎に圧縮されている。なお、積層体１２の縁部１４においては、各部材８，９，１９が縫合線１５毎に同じ厚みに圧縮されている。また、積層体１２の打突受け部１６の密部１９においては、図４に示すように、各部材８，９，１０が密部１９を構成する縫合線１７毎に異なる厚みに圧縮されており、指先側に配置された縫合線１７ほど厚みが薄くなるように圧縮されている。
【００３１】
そして、積層体１２の打突受け部１６の外・内面には、疎部１８の隣り合う縫合線１７の間に山状に隆起した山部２０が形成されると共に、密部１９の隣り合う縫合線１７の間に谷状に沈降した谷部２１が形成される。これにより、積層体１２を筒状に成形して小手布団５を形成すると、図１に示すように、筒状の小手布団５の外面（競技者の前腕に接触しない面）は、指先側へ向かって山部２０と谷部２１とを交互に繰り返して起伏した凹凸形状に形成される。
【００３２】
なお、小手布団５の芯部材８としては、緩衝性に優れた綿、鹿毛や羊毛等の獣毛からなるフェルトや毛氈などを使用すればよい。また、小手布団５の外面（競技者の前腕に接触しない面）側に位置付けられる被覆部材９としては、耐摩耗性に優れた紺反等の綿生地、人工皮革や鹿皮等の獣皮からなる皮革などを使用すればよく、小手布団５の内面（競技者の前腕に接触する面）側に位置付けられる被覆部材１０としては、肌触りが良く通気性に優れた綿生地などを使用すればよい。
【００３３】
また、疎部１８の隣り合う縫合線１７の間隔は、9.0ｍｍ〜30.0ｍｍにすることが好ましく、10.0ｍｍ〜20.0ｍｍにすることがより好ましい。密部１９の隣り合う縫合線１７の間隔は、1.0ｍｍ〜5.0ｍｍにすることが好ましく、2.0ｍｍ〜3.0ｍｍにすることがより好ましい。
【００３４】
次に、本実施の形態に係る小手布団５の製造方法を説明する。
【００３５】
先ず、両被覆部材８，９の左側及び右側に位置する縁と指先側と反対側に位置する縁とをそれぞれ内側に折り込み、両被覆部材の折り込んだ縁同士を縫合することによって指先側へ開口した袋体を形成する。次に、当該袋体に芯部材８を挿入した状態で各部材８，９，１０に対して縫合糸１１による刺し子縫い作業を施す。次に、縫合糸１１による刺し子縫い作業を施した各部材８，９，１０の左・右側に位置する縁部に沿って小手紐を通すための通孔７を形成して積層体１２とする。そして、積層体１２を筒状に成形することによって小手布団５が完成する。
【００３６】
なお、積層体１２を構成する各部材８，９，１０の打突受け部１６に対する刺し子縫い作業は、最初に、全ての密部１９を構成する二本の縫合線１７の内で一方側の縫合線１７に沿って順次縫合糸１１による刺し子縫い作業（第一縫合作業）を施し、続いて、全ての密部１９を構成する二本の縫合線１７の内で他方側の縫合線１７に沿って順次縫合糸１１による刺し子縫いを施す（第二縫合作業）順序で実施すればよい。この時、第一縫合作業においては、図５の（ａ）及び（ｂ）に示すように、圧縮されていない状態の各部材８，９，１０に対して縫合糸１１による刺し子縫いが施されるのに対し、第二縫合作業においては、図５の（ｂ）及び図５の（ｃ）に示すように、第一縫合作業における縫合糸１１の刺し子縫いによってある程度圧縮された状態の各部材８，９，１０に対して縫合糸１１による刺し子縫いが施されるため、両縫合作業時に各部材８，９，１０に対して同一の力で縫合糸１１を刺し子縫いしても、第一縫合作業の刺し子縫いによる各部材８，９，１０の圧縮よりも第二縫合作業の刺し子縫いによる各部材８，９，１０の圧縮の方が各部材８，９，１０が薄く圧縮される。
【００３７】
また、積層体１２を構成する各部材８，９，１０の打突受け部１６に対する刺し子縫い作業は、一つの密部１９を構成する二本の縫合線１７の内で一方側の縫合線１７に沿って縫合糸１１による刺し子縫い作業（第一縫合作業）を施し、続いて、当該一つの密部１９を構成する二本の縫合線１７の内で他方側の縫合線１７に沿って縫合糸１１による刺し子縫い作業（第二縫合作業）を施し、これら二つの縫合作業を密部１９毎に繰り返す順序で実施しても同様に、第一縫合作業の刺し子縫いによる各部材８，９，１０の圧縮よりも第二縫合作業の刺し子縫いによる各部材８，９，１０の圧縮の方が各部材８，９，１０が薄く圧縮される。
【００３８】
なお、前記実施の形態における小手布団５の構造は、図６に示す剣道用面２２の面布団２３や図７に示す剣道用垂れ２４の垂紐２５、大垂２６及び小垂２７にも採用することができる。
【００３９】
また、前記実施の形態においては、密部を構成する縫合線の数を二本としたが、これに限定されず、二本以上の数であってもよい。さらに、前記疎部を構成する縫合線の数を二本としたが、これに限定されず、二本以上の数であってもよい。
【符号の説明】
【００４０】
１  剣道用小手
２  小手頭
３  けら
４  筒
５  小手布団
６  ホツレ止め
７  通孔
８  芯部材
９，１０  被覆部材
１１  縫合糸
１２  積層体
１３  縫合線
１４  縁部
１５  縫合線
１６  打突受け部
１７  縫合線
１８  疎部
１９  密部
２０  山部
２１  谷部
２２  剣道用面
２３  面布団
２４  剣道用垂れ
２５  垂紐
２６  大垂
２７  小垂
【図１】
2015131022.tif 000003
【図２】
2015131022.tif 000004
【図３】
2015131022.tif 000005
【図４】
2015131022.tif 000006
【図５】
2015131022.tif 000007
【図６】
2015131022.tif 000008
【図７】
2015131022.tif 000009